(57)【要約】【課題】左右一対に眼鏡レンズ２を設けた眼鏡レンズ部３の両側から一対の耳掛けフレーム４を伸長し、かつ、眼鏡レンズ２のそれぞれと重合・離反自在のサングラスＳを備えたサングラス付き眼鏡において、着用者の側方からの眼への入光を必要に応じて遮光可能に成し、視力集中性の向上を図る。【解決手段】サングラスＳは、耳掛けフレーム４と眼鏡レンズ２の接合部に設けたヒンジ部Ｈによって個個に回転転移自在に支承され、眼鏡レンズ２の内側への重合セットと耳掛けフレーム４の内側への添設セットを可能にした構造のサングラス付き眼鏡１Ａが特徴である。【選択図】    図１
2004212901.tif 000002
【特許請求の範囲】
【請求項１】
左右一対に眼鏡レンズを設けた眼鏡レンズ部の両側から一対の耳掛けフレームを伸長し、かつ、該眼鏡レンズのそれぞれと重合・離反自在のサングラスを備えたサングラス付き眼鏡において、前記サングラスは、前記耳掛けフレームと前記眼鏡レンズ部の接合部位に設けたヒンジ部によって個個に回転転移自在に支承され、前記眼鏡レンズの内側への重合セットと前記耳掛けフレームの内側への添設セットを可能にした構造を特徴とするサングラス付き眼鏡。
【請求項２】
ヒンジ部が、眼鏡着用時の概ね垂直方向と概ね水平方向の２軸方向回転自在の２軸ヒンジ機構にして、サングラスが眼鏡レンズの前方への回転転移セットを可能にした構造から成る請求項１のサングラス付き眼鏡。
【請求項３】
左右一対に眼鏡レンズを設けた眼鏡レンズ部の両側から一対の耳掛けフレームを伸長し、かつ、該眼鏡レンズのそれぞれと重合・離反自在のサングラスを備えたサングラス付き眼鏡において、前記サングラスは、前記耳掛けフレームと前記眼鏡レンズ部の上縁に沿ってスライド自在の掛止ピースに個個に吊設され、前記眼鏡レンズの内側への重合セットと前記耳掛けフレームの内側への添設セットを可能にした構造を特徴とするサングラス付き眼鏡。
【請求項４】
サングラスの内側に、眼治療用パット類の鉤状掛止部を設けた請求項１・請求項２・請求項３のいずれかのサングラス付き眼鏡。
【発明の詳細な説明】
【０００１】
【発明の属する技術分野】
本発明は、眼に入る光線を緩和したり遮光するサングラスを装着したサングラス付き眼鏡に関するものである。
【０００２】
【従来の技術】
広く一般に普及しているサングラス付き眼鏡は、特許文献１・２に例示する公知例があり、それ等公知例のいずれも、眼鏡レンズ枠の上部に設けた跳ね上げ機構によって起伏自在のサングラスを装着した構造を有し、そのサングラスを必要に応じて倒して該眼鏡レンズの前面に重合セットして目に入る光線を緩和したり、該眼鏡レンズに対して前方上方傾斜姿勢にセットして強い入力光線を遮光して使用するように成っている。
【０００３】
【特許文献１】
実開平２−５１３１６公報（図面、請求項）
【特許文献２】
実開平２−２１６２２公報（図面、請求項）
【０００４】
【発明が解決しようとする課題】
以上の公知例の「サングラス付き眼鏡」は、眼鏡着用者の眼鏡レンズの入光を緩和・遮光する機能を有するものの、該眼鏡レンズの側方から眼への入光を遮光して側方視野を遮断したり制御し、視力集中の向上を図る機能に欠ける。
【０００５】
本発明は、以上の従来技術の難点を解消するさらなる高性能の「サングラス付き眼鏡」を提供するものである。
【０００６】
【課題を解決するための手段】
以上の技術課題を解決する本発明の「サングラス付き眼鏡」は「左右一対に眼鏡レンズを設けた眼鏡レンズ部の両側から一対の耳掛けフレームを伸長し、かつ、該眼鏡レンズのそれぞれと重合・離反自在のサングラスを備えたサングラス付き眼鏡において、前記サングラスは、前記耳掛けフレームと前記眼鏡レンズ部の接合部位に設けたヒンジ部によって個個に回転転移自在に支承され、前記眼鏡レンズの内側への重合セットと前記耳掛けフレームの内側への添設セットを可能にした構造」の第１発明のサングラス付き眼鏡と、
【０００７】
「左右一対に眼鏡レンズを設けた眼鏡レンズ部の両側から一対の耳掛けフレームを伸長し、かつ、該眼鏡レンズのそれぞれと重合・離反自在のサングラスを備えたサングラス付き眼鏡において、前記サングラスは、前記耳掛けフレームと前記眼鏡レンズ部の上縁に沿ってスライド自在の掛止ピースに個個に吊設され、前記眼鏡レンズの内側への重合セットと前記耳掛けフレームの内側への添設セットを可能にした構造」の第２発明のサングラス付き眼鏡に成っている。
【０００８】
即ち、以上の第１・第２発明の「サングラス付き眼鏡」は、眼鏡レンズへ重合セットして通常機能させるサングラスを、耳掛けフレームの内側への添設セット転移を可能に構成することによって、眼鏡着用者の側方視野を制限・遮光して視力集中力の一段の向上を図ることができる機能を付与する特有思想から成る構造が特徴である。
【０００９】
そして、前記の特有思想による技術性能のさらなる向上を図る意図から、前記第１発明のヒンジ部をＸ軸・Ｙ軸方向の２軸ヒンジ部に構成する態様や、前記第１・第２発明のサングラスに眼治療用マット類の掛止部を付設する態様を採択する。
【００１０】
【作用】
前記構成の第１・第２発明の「サングラス付き眼鏡」は、眼鏡レンズの内側へサングラスを重合セットすることによって、サングラス着用機能が円滑に享受できる。そして、そのサングラスを必要に応じて耳掛けフレームの内側へ添設転位セットすることによって、着用時の側方視野を限定閉鎖したり、眼鏡側縁の隙間からの有害な入力光を遮蔽制限して、眼鏡着用者の視力集中能の一段の向上を図ることができる。
【００１１】
【発明の実施の形態】
まず、第１発明１実施形態のサングラス付き眼鏡１Ａを図１を参照して説明する。即ち、左右１対の眼鏡レンズ２を並設した眼鏡レンズ部３の両側から１対の耳掛けフレーム４を伸長すると共に、その眼鏡レンズ２のそれぞれに重合セットしたり眼鏡レンズ２から離反自在にしたサングラスＳを備えたサングラス付き眼鏡１Ａにおいて、サングラスＳは耳掛けフレーム４と眼鏡レンズ部３の接続部位に設けたヒンジ部Ｈに回動自在に支承装着されている。
【００１２】
詳しくは、ヒンジ部Ｈは（図１（Ｂ）（Ｃ）参照）眼鏡レンズ部３近傍の耳掛けフレーム４の前端内側に設けてあり、耳掛けフレーム４の内側に基部を固定して先端にヒンジピン孔７を有するブラケット状の雌ヒンジ部５と、サングラスＳの縦周縁に基部を固定して先端にヒンジピン孔７を有するアーム状の雄ヒンジ部６と、この雌・雄ヒンジ部５・６のヒンジピン孔７に挿着する共通のヒンジピン８によって構成されている。
【００１３】
そして、そのヒンジピン孔７は眼鏡レンズ部３の着用姿勢の縦方向に貫通すると共に、雌ヒンジ部５の中間切欠部分に雄ヒンジ部６を嵌合して組合せ、それぞれのヒンジピン孔７を連通させて共通のヒンジピン８をセットして連結され、左右一対のサングラスＳがヒンジピン８を中心として回動自在に耳掛けフレーム４に支承保持されている。
【００１４】
そして、指先等で軽く操作することによってサングラスＳは容易に回転転位して眼鏡レンズ２の内側への重合セットと、開脚姿勢の耳掛けフレーム４の内側への添設セットが自在に選択セットできる構造に成っている。
【００１５】
そして、眼鏡レンズ２の内側への重合セットによって着用者のサングラスとして正常に機能させたり、耳掛けフレーム４内側への添設セットによって同じく着用者の側方視界を閉鎖したり側方視界からの入光を抑止して使用する。
【００１６】
なお、ヒンジピン８とヒンジピン孔７は前記の添設セット姿勢が眼鏡使用中に容易に崩れず、かつ、指先で前記の転移変換ができる嵌合度に組合せ連結される。図中の９は、耳掛けフレーム４の折曲連結点である。
【００１７】
以上の図１実施形態のサングラス付き眼鏡１Ａは通常のサングラス付き眼鏡として機能すると共に、耳掛けフレーム４側への添設セットによって着用者の眼と眼鏡レンズ２間の隙間の側方からの有害な入光をサングラスＳによって遮蔽したり遮光できるので、例えば限定視界での視力集中が特段に必要な学生・生徒の勉学や一般の読書・文筆作業の一段の効率向上ができる特有作用がある。
【００１８】
続いて、図２を参照して第１発明の他の実施形態を説明する。即ち、図１実施形態と同様に耳掛けフレーム４の前端部位に設けたヒンジ部ＨによってサングラスＳを回転転移自在に支承し、そのサングラスＳを眼鏡レンズ２の内側への重合セットと、耳掛けフレーム４の内側への添設セットを可能にしたサングラス付き眼鏡１Ａにおいて、この図２実施形態のもののヒンジ部ＨはＸ軸・Ｙ軸の２軸方向のヒンジピン８Ａ・８Ｂを備え、サングラスＳの３次元転移セットが可能に構成されている。
【００１９】
即ち（図２（Ａ）（Ｂ）参照）ヒンジ部Ｈは、耳掛けフレーム４の前端外側に設けたＹ軸ヒンジ部１１とＹ軸ヒンジ部１１に載置連結したＸ軸ヒンジ部１０の積層形態にして、そのＸ軸ヒンジ部１０はサングラスＳの周縁に前端を固定したＸ軸ヒンジピン８Ａを有し、Ｙ軸ヒンジ部１１は載置したＸ軸ヒンジ部１０と共通のＹ軸ヒンジピン８Ｂによって連結されており、Ｘ軸ヒンジ部１０はＹ軸ヒンジピン８Ｂを回転中心として「耳掛けフレーム４に固定したＹ軸ヒンジ部１１」と相対回転自在となるＸ軸Ｙ軸の２軸ヒンジ部に構成されている。
【００２０】
そして、Ｘ軸ヒンジ部１０をＹ軸ヒンジピン８Ｂを中心としてＹ軸ヒンジ部１１に対して図示矢印方向に回転させることによって、図１実施形態と同様にサングラスＳを眼鏡レンズ２の内側に重合セットしたり、開脚姿勢の耳掛けフレーム４の内側への添設セットができる。
【００２１】
そして、Ｘ軸ヒンジ部１０を図２（Ｂ）に示す「Ｙ軸ヒンジ部１１との正常相対姿勢」のままＸ軸ヒンジピン８Ａを回転中心としてサングラスＳを回転転移させると（図２（Ｃ）参照）サングラスＳを眼鏡レンズ２の前方上方傾斜姿勢にセットできる。そして、その前方上方セット姿勢から眼鏡レンズ２の内側重合姿勢や耳掛けフレーム４内側への添設セットに自由に復元できる。
【００２２】
以上の図２実施形態のものは図１実施形態と同様な作用の他、前記の「サングラスＳの前方上方傾斜姿勢セット」によって、眼鏡レンズ２の前方上方からの入る有害な強い入光を遮蔽したり遮光して、自動車運転時等の着用者の便宜向上と安全性向上を図る特有作用がある。
【００２３】
続いて、図３を参照して第２発明１実施形態の「サングラス付き眼鏡１Ｂ」を説明する。即ち、同じくサングラスＳを眼鏡レンズ２の内側に重合セットしたり、耳掛けフレーム４の内側へ添設セットを可能にした「サングラス付き眼鏡１Ｂ」において、この実施形態のものは眼鏡レンズ２のそれぞれに重合セットするサングラスＳが、眼鏡レンズ２の上縁と耳掛けフレーム４２の上縁に「スライド自在に掛け止めする掛止ピース１５」を有し、その掛止ピース１５によって移動可能に吊設されている。
【００２４】
そして、その掛止ピース１５を指先でスライド移動することによって図示点線の眼鏡レンズ２の内側への重合セットと、耳掛けフレーム４の内側への添設セット転移が自在に選択セットできる構造に設定されている。
【００２５】
以上の図３実施形態のものは図１実施形態の「サングラス付き眼鏡１Ａ」と同様な作用が存在すると共に、図３（Ｂ）実線で示す「サングラスＳによる眼鏡レンズ２の部分閉鎖セット」が自在に可能にして、着用時の限定視界制限の性能が一段と向上する。
【００２６】
一方、図３（Ｃ）は掛止ピース１５の他の態様が示してあり、この態様の掛止ピース１５は「ばねクリップ形態」にして、眼鏡レンズ２の周縁や耳掛フレーム４のサイズに応じて弾着し、使用中の「がたつき防止」を図ると共に、サイズが異なる眼鏡レンズ２・耳掛けフレーム４に共用できる形態に成っている。
【００２７】
続いて図４を参照して第１・第２発明の「サングラス付き眼鏡１」の他の実施形態を説明する。即ち、この実施形態のものは図１〜図３に示すいずれかのサングラスＳにおいて、サングラスＳの４隅コーナーに「鉤状掛止部１６」を付設した形態を有している。
【００２８】
そして、この鉤状係止部１６に（図４（Ｂ）（Ｃ）参照）、眼病治療用の公知の冷庵法液や冷却液を浸潤させた眼治療用パット２０、または、眼に圧力を加える公知の近視治療用パット２０や眼に押し当てる他のパット類を掛止め装着し、サングラス付き眼鏡１の着用中に治療用パット２０等を眼に軽く当接させて眼治療・眼の疲れ回復治療等ができるように構成されている。なお、図中の１７は鉤状係止部１６に着脱自在に掛け止めする治療用マット２０の掛止片である。
【００２９】
以上の図４実施形態の「サングラス付き眼鏡１」は、サングラスＳと着用者の眼の間に治療用パット類が脱落することなく介装セットできるので、一般に普及している眼帯は不用にして、着用が目立つ治療用パット類がサングラスＳによって遮蔽されて他人から見づらくなるので治療用パット類の着用不快感がなく、着用性が向上する。
【００３０】
なお、本発明の「サングラス付き眼鏡」は、前記の実施形態に限定されずサングラスＳはフラット板でも良く、眼鏡レンズ２・サングラスＳのいずれも枠体不存在の裸板形態でも良い。
【００３１】
【発明の効果】
以上の説明のとおり本発明の「サングラス付き眼鏡」は、眼鏡着用中に眼鏡の側方からの入光を必要に応じて遮蔽したり遮光できるので、視野を限定して特段の視力集中が必要な勉学・文筆作業や特殊技能作業に極めて適し、それ等勉学・特殊作業の特段の能率向上を図る有用な効果がある。
【図面の簡単な説明】
【図１】第１発明１実施形態の「サングラス付き眼鏡」を示し、（Ａ）はその全体平面図、（Ｂ）は（Ａ）のＤＤ断面側面図、（Ｃ）はそのヒンジ部の構造説明図
【図２】第１発明の他の実施形態の「サングラス付き眼鏡」を示し、（Ａ）はその部分平面図、（Ｂ）はヒンジ部の構造説明図、（Ｃ）はその使用状態説明の側面図
【図３】第２発明１実施形態の「サングラス付き眼鏡」を示し、（Ａ）はその全体斜視図、（Ｂ）はその平面図、（Ｃ）はそのサングラスの正面図
【図４】本発明の「サングラス付き眼鏡」のサングラスの他の形態を示し、（Ａ）はその正面図、（Ｂ）はその側面図、（Ｃ）はサングラスに装着する眼治療用パットの正面図
【符号の説明】
１Ａ・１Ｂ  サングラス付き眼鏡
２  眼鏡レンズ
３  眼鏡レンズ部
４  耳掛けフレーム
５  雌ヒンジ部
６  雄ヒンジ部
７  ヒンジピン孔
８  ヒンジピン
１０  Ｘ軸ヒンジ部
１１  Ｙ軸ヒンジ部
１５  掛止ピース
１６  鉤状係止部
２０  治療用パット
Ｈ  ヒンジ部
Ｓ  サングラス
【図１】
2004212901.tif 000003
【図２】
2004212901.tif 000004
【図３】
2004212901.tif 000005
【図４】
2004212901.tif 000006